(57)【要約】【課題】  本発明は構造が簡単で、容易に設置することができるとともに、スムーズに移動させることができる、安価な支承レールを得るにある。【解決手段】  コ字状のレールと、このレールに転がるように収納された目地プレート用支持部材をスライド移動できるように支持する複数個の球体と、この複数個の球体を所定間隔で配置することができるように前記レールに設けられた、該球体の直径よりも大きな寸法の球体収納部を形成する複数個の仕切壁とで支承レールを構成している。【選択図】  図１
2015030986.tif 000002
【特許請求の範囲】
【請求項１】
コ字状のレールと、このレールに転がるように収納された目地プレート用支持部材をスライド移動できるように支持する複数個の球体と、この複数個の球体を所定間隔で配置することができるように前記レールに設けられた、該球体の直径よりも大きな寸法の球体収納部を形成する複数個の仕切壁とからなることを特徴とする支承レール。
【請求項２】
レールの両側壁は収納される球体の直径よりも高くなるように形成されていることを特徴とする請求項１記載の支承レール。
【請求項３】
レールの両側壁は収納される球体の直径よりも低くなるように形成されていることを特徴とする請求項１記載の支承レール。
【発明の詳細な説明】
【技術分野】
【０００１】
本発明は床目地プレートや天井目地プレート等のプレートをスライド移動可能に支持する支承レールに関する。
【背景技術】
【０００２】
従来、この種の支承レールはレールに所定間隔でフリーベアリングを取付けたり、レールの内底面に所定間隔でローラーあるいは回転するパイプを取付部材に取付けたものが使用されている。
【０００３】
しかしながら、前者のように構成されたものはレールにフリーベアリングを取付ける作業が大変で、コスト高になるという欠点があった。
また、後者のように構成されたものは構造が複雑で、レールと取付部材とを固定しないと、レール上を移動してしまうため、取付け作業が大変で、コスト高になるという欠点があった。
【先行技術文献】
【特許文献】
【０００４】
【特許文献１】特許第４０９９４６５号公報
【特許文献２】特許第３９６８３４０号公報
【特許文献３】特許第５１７３９７５号公報
【発明の概要】
【発明が解決しようとする課題】
【０００５】
本発明は以上のような従来の欠点に鑑み、構造が簡単で、容易に設置することができるとともに、スムーズに移動させることができる、安価な支承レールを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はコ字状のレールと、このレールに転がるように収納された目地プレート用支持部材をスライド移動できるように支持する複数個の球体と、この複数個の球体を所定間隔で配置することができるように前記レールに設けられた、該球体の直径よりも大きな寸法の球体収納部を形成する複数個の仕切壁とで支承レールを構成している。
【発明の効果】
【０００８】
以上の説明から明らかなように、本発明にあっては次に列挙する効果が得られる。
（１）請求項１により、コ字状のレールに球体収納部を形成する複数個の仕切壁を設け、該球体収納部に球体を収納するだけでよいので、製造が容易で、低コストで製造することができる。
（２）前記（１）により、球体収納部に収納された球体は、該球体収納部内で転がるので、球体に支持部材を支持させることにより、スライド移動可能に支持させることができる。
（３）前記（１）により、レールに設ける複数個の球体収納部の設置状態によって、球体の配置を任意に設定できる。
したがって、最適に支持部材を球体で支持することができる。
（４）請求項２も前記（１）〜（３）と同様な効果が得られるとともに、レールの両側壁が球体の直径よりも高くなっているため、該両側壁の一方を球体に支持される支持部材のストッパー片として使用することができる。
（５）請求項３も前記（１）〜（３）と同様な効果が得られるとともに、球体に支持される支持部材を、どの方向にもスライド移動可能に支持させることができる。
【図面の簡単な説明】
【０００９】
【図１】本発明を実施するための第１の形態の平面図。
【図２】本発明を実施するための第１の形態の側面図。
【図３】図１の３−３線に沿う断面図。
【図４】本発明を実施するための第１の形態の使用状態の平面図。
【図５】図４の５−５線に沿う断面図。
【図６】本発明を実施するための第１の形態の地震で前後方向に揺れ動いた状態の説明図。
【図７】本発明を実施するための第１の形態の地震で左右方向に揺れ動いた状態の説明図。
【図８】本発明を実施するための第２の形態の平面図。
【図９】本発明を実施するための第２の形態の側面図。
【図１０】図８の１０−１０線に沿う断面図。
【図１１】本発明を実施するための第２の形態の使用状態の断面図。
【図１２】本発明を実施するための第３の形態の平面図。
【図１３】本発明を実施するための第３の形態の側面図。
【図１４】本発明を実施するための第３の形態の使用状態の平面図。
【図１５】図１４の１５−１５線に沿う断面図。
【図１６】本発明を実施するための第４の形態の平面図。
【図１７】本発明を実施するための第４の形態の側面図。
【図１８】図１６の１８−１８線に沿う断面図。
【発明を実施するための形態】
【００１０】
以下、図面に示す本発明を実施するための形態により、本発明を詳細に説明する。
【００１１】
図１ないし図７に示す本発明を実施するための第１の形態において、１は本発明の支承レールで、この支承レール１はコ字状のレール２と、このコ字状のレール２の一側壁２ａに一体形成された逆Ｌ字状の取付片３と、前記コ字状のレール２に転がるように収納された支持部材４をスライド移動できるように支持する、該レール２の側壁２ａ、２ａ間の寸法よりも小さい寸法の直径で、かつ該他側壁２ａよりも上部が低い複数個の球体５と、この複数個の球体５を所定間隔で配置することができるように、前記レール２に設けられた、該球体５の直径寸法よりも大きい寸法、例えば２〜３倍の寸法となる球体収納部６を形成するための複数個の仕切壁７、７と、前記コ字状のレール２の前記球体収納部６以外の底面および前記取付片３部分に所定間隔で設けられたタッピングビス８の挿入孔９とで構成されている。
【００１２】
このように構成された支承レール１は、図４ないし図７に示すように左右の床躯体１０、１０の一方の目地部側の床躯体１０に形成された目地プレート支持凹部１１に複数本のタッピングビス８で固定されている。
【００１３】
この支承レール１の複数個の球体５に後端部の支持部材４が支持されるように位置させるとともに、他方の目地部側の床躯体１０に形成した目地プレートスライド支持凹部１２を覆うように複数個のローラー１３を介して目地プレート１４を位置させ、該目地プレート１４の目地プレートスライド支持凹部１２部分をカバープレート１５で覆われた床用目地装置１６に使用される。
【００１４】
このような床用目地装置１６は、通常時は目地部１７を目地プレート１４で覆われている。
【００１５】
地震で左右の床躯体１０、１０が異なる左右方向に揺れ動くと、目地プレート１４の先端部が目地プレートスライド支持凹部１２内を複数個のローラー１３を介して左右方向にスムーズにスライド移動して、その揺れ動きを吸収する。
【００１６】
地震で左右の床躯体１０、１０が異なる前後方向に揺れ動くと、目地プレート１４の先端部は目地プレートスライド支持凹部１２の側壁１２ａ、１２ａによって他方の床躯体１０と一体になって前後方向へ揺れ動くため、目地プレート１４の後端部の支持部材４は支承レール１の複数個の球体５によって、スムーズに前後方向にスライド移動して、その揺れ動きを吸収することができる。
【００１７】
[発明を実施するための異なる形態]
次に、図８ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図８ないし図１１に示す本発明を実施するための第２の形態において、前記本発明を実施するための第１の形態と主に異なる点は、一方の目地部側の床躯体１０に目地プレート支持凹部を形成することなく取付けられるようにコ字状のレール２Ａの底面に補強板１８が固定され、タッピングビス８の挿入孔９が形成された複数個のアングル状のブラケット１９を固定した点で、このように構成された支承レール１Ａにしても、図１１に示すように床用目地装置１６Ａに使用することができる。
【００１９】
図１２ないし図１５に示す本発明を実施するための第３の形態において、前記本発明を実施するための第２の形態と主に異なる点は、コ字状のレール２Ａの両側壁２ａ、２ａが複数個の球体収納部６に収納された球体５の直径寸法よりも小さく形成されたものを用いた点で、このように構成した支承レール１Ｂにしても、図１４および図１５に示す床用目地装置１６Ｂの目地プレート１４の後端部を上方へ押し上げる時に使用される。
【００２０】
前記目地装置１６Ｂは一方の目地部側の床躯体１０に形成された目地プレート１４の後端部を支持する目地プレート支持凹部１１と、他方の目地部側の床躯体１０の反目地部側が傾斜面２０に形成された目地プレートスライド支持凹部１２Ａとを覆うように、両端部にヒンジ部材２２、２２を介したカバープレート２１、２１が設けられた目地プレート１４が設けられ、該目地プレート１４の後部両側に設けられた係合ピン収納ボックス２３、２３に目地プレート支持凹部１１に固定された係合ピン２４、２４が係合されるとともに、目地プレート１４の後部寄りの底面に後部側が順次下方へ突出する傾斜面２５の目地プレート押し上げ片２６が固定され、他方の目地部側の床躯体１０に前記球体５の上面が目地プレートスライド支持凹部１２Ａの上面とほぼ同一面となるように取付けられている。
【００２１】
このような床用目地装置１６Ｂは、通常時には目地部１７は目地プレート１４で覆われており、地震で目地部１７が狭くなると目地プレート１４の先端部が傾斜面２０をスライド移動し、他方の床躯体１０の床面上へ突出するが、カバープレート２１によって、該床面との間に隙間が生じるのを防止できる。
【００２２】
さらに、目地部１７が狭くなると目地プレート押し上げ片２６に支承レール１Ｂの球体５が当接し、該目地プレート押し上げ片２６を上方へ押し上げ、目地プレート１４の後部を上方へ押し上げ、ほぼ水平状態に位置させて、安全に使用できるようにする。
【００２３】
図１６ないし図１８に示す本発明を実施するための第４の形態において、前記本発明を実施するための第３の形態と主に異なる点は、複数個のタッピングビス挿入孔９が形成された板状の一方の側板２７と、この一方の側板２７の複数個のタッピングビス挿入孔９と一致する部位に、複数個のタッピングビス挿入孔９が形成されたクランク状の他方の側板２８とでコ字状のレール２Ｂにした点で、このような支承レール１Ｃにしても、前記本発明を実施するための第３の形態と同様な作用効果が得られる。
【００２４】
なお、前記本発明を実施するための各実施の形態では、支持部材としての目地プレートをスライド移動可能に支持するものについて説明したが、本発明はこれに限らず、スライド開閉する扉の下部レールに使用してもよい。
【産業上の利用可能性】
【００２５】
本発明は支持部材をスライド移動させる支承レールを製造する産業で利用される。
【符号の説明】
【００２６】
１、１Ａ、１Ｂ、１Ｃ：、支承レール
２、２Ａ、２Ｂ：コ字状のレール、
３：取付片、        ４：支持部材、
５：球体、        ６：球体収納部、
７：仕切壁、        ８：タッピングビス、
９：挿入孔、        １０：床躯体、
１１：目地プレート支持凹部、
１２、１２Ａ：目地プレートスライド支持凹部、
１３：ローラー、      １４：目地プレート、
１５：カバープレート、
１６、１６Ａ、１６Ｂ：  床用目地装置、
１７：目地部、      １８：補強板、
１９：ブラケット、      ２０：傾斜面、
２１：カバープレート、    ２２：ヒンジ部材、
２３：係合ピン収納ボックス、  ２４：  係合ピン、
２５：傾斜面、      ２６：目地プレート押し上げ片、
２７：側板、        ２８：側板。
【図１】
2015030986.tif 000003
【図２】
2015030986.tif 000004
【図３】
2015030986.tif 000005
【図４】
2015030986.tif 000006
【図５】
2015030986.tif 000007
【図６】
2015030986.tif 000008
【図７】
2015030986.tif 000009
【図８】
2015030986.tif 000010
【図９】
2015030986.tif 000011
【図１０】
2015030986.tif 000012
【図１１】
2015030986.tif 000013
【図１２】
2015030986.tif 000014
【図１３】
2015030986.tif 000015
【図１４】
2015030986.tif 000016
【図１５】
2015030986.tif 000017
【図１６】
2015030986.tif 000018
【図１７】
2015030986.tif 000019
【図１８】
2015030986.tif 000020